(57)【要約】【課題】小型化、軽量化、低コスト化を図りつつ、耐久性の向上を図る上で有利なプロジェクタ装置用の光学ユニットおよびプロジェクタ装置を提供する。【解決手段】フレーム５０は、底壁５２と、この底壁５２の周囲から立設された側壁５４とを有している。光学部材が側壁５４に沿って延在していない箇所でかつ光学部材が取り付けられていない側壁５４の箇所は、第１ダイクロイックミラー３６と第２のダイクロイックミラー３８の間に位置する側壁箇所６０である。側壁箇所６０に、２つの溝６４が設けられている。それら溝６４は、底壁５２と反対に位置する側壁５４の上端から底壁５２に向かって延在し上端に開放状に形成されている。それら溝６４は、側壁箇所６０の剛性を低下させ、フレーム５０に外力が作用した場合に、該側壁箇所６０を弾性変形しやすくするものである。【選択図】図３
2010211135.tif 000002
【特許請求の範囲】
【請求項１】
底壁と、この底壁の周囲から立設された側壁とを有し硬質な材料で弾性変形可能に形成されたフレームと、
前記底壁に取り付けられ第１、第２、第３の波長領域を有する第１、第２、第３の光を画像情報に基づいて変調したのち合成する画像形成部と、
前記底壁上に設けられ光源部から入射された光から第１、第２、第３の波長領域を有する第１、第２、第３の光を分離してそれぞれ画像形成部に導く光分離部とを備え、
前記光分離部は前記フレームに取り付けられた複数の光学部材を含んで構成され、
前記光学部材が側壁に沿って延在していない箇所で、かつ、光学部材が取り付けられていない側壁の箇所に、前記底壁と反対に位置する前記側壁の上端から前記底壁に向かって延在し前記上端に開放状の溝が設けられている、
プロジェクタ装置用の光学ユニット。
【請求項２】
前記溝は、前記側壁の高さの１／２以上の寸法の深さで延在形成されている、
請求項１記載のプロジェクタ装置用の光学ユニット。
【請求項３】
前記溝は、前記側壁の高さの１／２以上２／３未満の寸法の深さで延在形成されている、
請求項１記載のプロジェクタ装置用の光学ユニット。
【請求項４】
複数の光学部材のフレームへの取り付けは接着剤を介して行なわれている、
請求項１記載のプロジェクタ装置用の光学ユニット。
【請求項５】
複数の光学部材は、側壁の延在方向に間隔をおいて配置された隣り合う２つの光学部材を有し、
光学部材が側壁に沿って延在しておらず、かつ、光学部材が取り付けられていない側壁の箇所は、隣り合う２つの光学部材の間に位置する側壁の箇所である、
請求項１記載のプロジェクタ装置用の光学ユニット。
【請求項６】
隣り合う２つの光学部材は、高さ、幅を有する板状を呈し、底壁に高さ方向を直交させるとともに幅方向を側壁に交差させ、かつ、幅方向の端部を側壁に取り付けて配置されている、
請求項５記載のプロジェクタ装置用の光学ユニット。
【請求項７】
隣り合う２つの光学部材の一方は、高さ、幅を有する板状を呈し、底壁に高さ方向を直交させるとともに幅方向を側壁に交差させ、かつ、幅方向の端部を側壁に取り付けて配置され、
隣り合う２つの光学部材の他方は、高さ、幅を有する板状を呈し、底壁に高さ方向を直交させるとともに幅方向を側壁の延在方向に沿わせ、かつ、幅方向の両端を側壁に取り付けて配置されている、
請求項５記載のプロジェクタ装置用の光学ユニット。
【請求項８】
隣り合う２つの光学部材は、高さ、幅を有する板状を呈し、底壁に高さ方向を直交させるとともに幅方向を側壁の延在方向に沿わせ、かつ、幅方向の両端を側壁に取り付けて配置されている、
請求項５記載のプロジェクタ装置用の光学ユニット。
【請求項９】
前記複数の光学部材は、全反射ミラーおよび光の波長領域毎に光を反射または透過するダイクロイックミラー膜が形成されたダイクロイックミラーを含んで構成されている、
請求項１記載のプロジェクタ装置用の光学ユニット。
【請求項１０】
前記フレームは合成樹脂製であり、
前記底壁と前記側壁とは一体成形されている、
請求項１記載のプロジェクタ装置用の光学ユニット。
【請求項１１】
光学ユニットを備え、
前記光学ユニットは、
底壁と、この底壁の周囲から立設された側壁とを有し硬質な材料で弾性変形可能に形成されたフレームと、
前記底壁に取り付けられ第１、第２、第３の波長領域を有する第１、第２、第３の光を画像情報に基づいて変調したのち合成する画像形成部と、
前記底壁上に設けられ光源部から入射された光から第１、第２、第３の波長領域を有する第１、第２、第３の光を分離してそれぞれ画像形成部に導く光分離部とを備え、
前記光分離部は前記フレームに取り付けられた複数の光学部材を含んで構成され、
前記光学部材が側壁に沿って延在していない箇所で、かつ、光学部材が取り付けられていない側壁の箇所に、前記底壁と反対に位置する前記側壁の上端から前記底壁に向かって延在し前記上端に開放状の溝が設けられている、
プロジェクタ装置。
【発明の詳細な説明】
【技術分野】
【０００１】
本発明はプロジェクタ装置用の光学ユニットおよびプロジェクタ装置に関する。
【背景技術】
【０００２】
プロジェクタ装置は、光源部からの光を赤色、緑色、青色の光に分離する分離部を備えている。
そして、プロジェクタ装置は、光分離部で分離された光を、画像形成部により画像情報で変調させたのち合成して出射し、画像形成部から出射された光を投射光学系によりスクリーンに投射させている。
このようなプロジェクタ装置においては、光分離部は、複数のダイクロイックミラーおよび反射ミラーなどの光学部材を備え、これら光学部材は、プロジェクタ装置のフレームに取り付けられている（特許文献１参照）。
フレームは、プロジェクタ装置の外装を構成するケースに対してねじなどを用いて取着されている。
この場合、光学部材のフレームへの取り付けは、板ばねによって光学部材をフレームの取り付け面に押し付けることによってなされている。
しかしながら、各光学部材を板ばねを用いて取り付ける場合には、各光学部材に対応して多くの板ばねが必要となることから、小型化、軽量化を図る上でまた部品コストおよび組み立てコストの低減を図る上で不利がある。
そこで、各光学部材を、接着剤などを用いてフレームに固定して取り付けることが考えられる。
【先行技術文献】
【特許文献】
【０００３】
【特許文献１】特開平８−１７９４４７号公報
【発明の概要】
【発明が解決しようとする課題】
【０００４】
しかしながら、光学部材をフレームに固定して取り付けた場合、次の不具合が懸念される。
すなわち、プロジェクタ装置の運搬時、あるいは、使用時などにおいて、プロジェクタ装置の外装を構成するケースに衝撃が加わりケースが瞬間的に弾性変形すると、その変形に追従してケースに固定されたフレームも弾性変形する。
そして、フレームが弾性変形すると、フレームに固定された光学部材にストレスが加わることになる。そのため、過大なストレスが光学部材に加わった場合には、光学部材の劣化や破損が生じることが懸念される。
また、接着剤を用いて光学部材をフレームに固定した場合、接着剤にストレスが加わることで光学部材がフレームから剥がれることが懸念される。
本発明はこのような事情に鑑みなされたものであり、その目的は小型化、軽量化、低コスト化を図りつつ、耐久性の向上を図る上で有利なプロジェクタ装置用の光学ユニットおよびプロジェクタ装置を提供することにある。
【課題を解決するための手段】
【０００５】
上述の目的を達成するため、本発明のプロジェクタ装置用の光学ユニットは、底壁と、この底壁の周囲から立設された側壁とを有し硬質な材料で弾性変形可能に形成されたフレームと、前記底壁に取り付けられ第１、第２、第３の波長領域を有する第１、第２、第３の光を画像情報に基づいて変調したのち合成する画像形成部と、前記底壁上に設けられ光源部から入射された光から第１、第２、第３の波長領域を有する第１、第２、第３の光を分離してそれぞれ画像形成部に導く光分離部とを備え、前記光分離部は前記フレームに取り付けられた複数の光学部材を含んで構成され、前記光学部材が側壁に沿って延在していない箇所で、かつ、光学部材が取り付けられていない側壁の箇所に、前記底壁と反対に位置する前記側壁の上端から前記底壁に向かって延在し前記上端に開放状の溝が設けられている。
また、本発明のプロジェクタ装置は、光学ユニットを備え、前記光学ユニットは、底壁と、この底壁の周囲から立設された側壁とを有し硬質な材料で弾性変形可能に形成されたフレームと、前記底壁に取り付けられ第１、第２、第３の波長領域を有する第１、第２、第３の光を画像情報に基づいて変調したのち合成する画像形成部と、前記底壁上に設けられ光源部から入射された光から第１、第２、第３の波長領域を有する第１、第２、第３の光を分離してそれぞれ画像形成部に導く光分離部とを備え、前記光分離部は前記フレームに取り付けられた複数の光学部材を含んで構成され、前記光学部材が側壁に沿って延在していない箇所で、かつ、光学部材が取り付けられていない側壁の箇所に、前記底壁と反対に位置する前記側壁の上端から前記底壁に向かって延在し前記上端に開放状の溝が設けられている。
【発明の効果】
【０００６】
本発明によれば、外力がフレームに作用した場合に、溝が形成された側壁箇所が弾性変形する。そして、側壁箇所の弾性変形により、フレームに固定された光学部材にストレスが加わることを防止でき、光学部材の劣化や破損を防止する上で有利となる。
【図面の簡単な説明】
【０００７】
【図１】本実施の形態のプロジェクタ装置１０の光学系の構成を示す説明図である。
【図２】本実施の形態のプロジェクタ装置１０の構成を示す平面図である。
【図３】光分離部１４の斜視図である。
【図４】光分離部１４の平面図である。
【発明を実施するための形態】
【０００８】
次に、本発明の実施の形態について図１乃至図４を参照して説明する。
図１、図２に示すように、プロジェクタ装置１０は、光源部１２と、光分離部１４と、画像形成部１５と、投射光学系２４と、フレーム５０などを含んで構成されている。
光源部１２と、分離部１４と、各入射側偏光板１６Ｒ、１６Ｇ、１６Ｂとは、フレーム５０に直接取着されている。
また、各光変調器１８Ｒ、１８Ｇ、１８Ｂ、光合成プリズム２０、各出射側偏光板２２Ｒ、２２Ｇ、２２Ｂ、投射光学系２４は、図示しない単一のハウジングに取り付けられ、このハウジングを介してフレーム５０に取着されている。言い換えると、各光変調器１８Ｒ、１８Ｇ、１８Ｂ、光合成プリズム２０、各出射側偏光板２２Ｒ、２２Ｇ、２２Ｂ、投射光学系２４ハウジングに取り付けられることで１つのブロックを構成しており、このブロックがフレーム５０に取着されている。
なお、本発明が適用される光学部材は、後述するように光分離部１４に配置された第１、第２のダイクロイックミラー３６、３８、第１、第２、第３の反射ミラー４０、４２、４４である。
【０００９】
（光源部１２）
図１、図２に示すように、光源部１２は、光源２６、ＵＶカットフィルター２８、フライアイレンズ３０、ＰＳ変換素子３２、コンデンサレンズ３４などを含んで構成されている。
光源２６は、白色光を出射するものであり、光源２６としては、白色光を出射するウルトラハイプレッシャーランプなど、従来公知のさまざまなランプが採用可能である。
ＵＶカットフィルター２８は、光源２６の前方に設けられた光源２６から出射される紫外線の通過を阻止するものである。
フライアイレンズ３０は、ＵＶカットフィルター２８の前方に設けられ、ＵＶカットフィルター２８を透過した光の照度分布を均一化することで、第１、第２、第３の光変調器１８Ｒ、１８Ｇ、１８Ｂの有効面積内を均一に照明させるものである。
本実施の形態では、複数のフライアイレンズ３０が設けられている。
ＰＳ変換素子３２は、フライアイレンズ３０によって導かれた光の偏光方向を所定方向に揃えるものであり、具体的には、光の偏光成分のうちＳ偏光はそのまま透過させ、Ｐ偏光をＳ偏光に変換させて透過させるものである。
コンデンサレンズ３４はＰＳ変換素子３２から出射される光を収束させるものである。
なお、厳密に言うと、ＵＶカットフィルター２８、フライアイレンズ３０、ＰＳ変換素子３２、コンデンサレンズ３４などの光学部材は、光源２４から出射された光を均一化するためのインテグレータ機能を有するインテグレート系を構成するものである。本実施の形態では、説明の都合上、光源部１２が光源２４とこれらインテグレート系とを備えるものとして説明する。
【００１０】
（光分離部１４）
図１、図２に示すように、光分離部１４は、光源部１２からの光を波長領域が異なるＲ（赤色）の光、Ｇ（緑色）の光、Ｂ（青色）の光に分離するものである。
言い換えると、光部分離部１４は、光源部１２から入射された光から第１、第２、第３の波長領域を有する第１、第２、第３の光を（Ｒ（赤色）の光、Ｇ（緑色）の光、Ｂ（青色を）分離してそれぞれ画像形成部１５に導くものである。
光分離部１４は、第１、第２のダイクロイックミラー３６、３８、第１、第２、第３の反射ミラー４０、４２、４４を含んでいる。
本実施の形態では、第１、第２のダイクロイックミラー３６、３８、第１、第２、第３の反射ミラー４０、４２、４４がそれぞれ特許請求の範囲の光学部材を構成している。
【００１１】
第１のダイクロイックミラー３６は、光源部１２から導かれた光のうち青色の波長領域の光を選択的に反射すると共に、青色の波長領域を除く残りの光、言い換えると、緑色および赤色の波長領域を含む光を透過する。
第２のダイクロイックミラー３８は、第１のダイクロイックミラー３２を透過した光のうち緑色の波長領域の光を選択的に反射して後述する第２の入射側偏光板１６Ｇを介して第２の光変調器１８Ｇに導く。また、第２のダイクロイックミラー３８は、赤色の波長領域の光を透過する。
すなわち、第１、第２のダイクロイックミラー３６、３８は、光の波長領域毎に光を反射または透過するダイクロイックミラー膜が形成されている。
【００１２】
第１の反射ミラー４０は全反射ミラーで構成され、第１のダイクロイックミラー３６で分離された青色の波長領域の光Ｂを反射して後述する第３の入射側偏光板１６Ｂを介して第３の光変調器１８Ｂに導くものである。
第２の反射ミラー４２は全反射ミラーで構成され、第２のダイクロイックミラー３４で分離された赤色の波長領域の光を含む光を反射して第３の反射ミラー４０に導くものである。
第３の反射ミラー４４は全反射ミラーで構成され、第２の反射ミラー４２によって導かれた赤色の波長領域の光を含む光を後述する第１の入射側偏光板１８Ｒを介して第１の光変調器１８Ｒに導くものである。
なお、図中、符号４６Ａ、４６Ｂは光Ｒについての光路長の補正を行うリレーレンズ、符号４８Ｒ、４８Ｇ、４８Ｂは光Ｒ、光Ｇ、光Ｂをそれぞれ収束するコンデンサレンズを示す。
また、光分離部１４は光源部１２からの光を赤色、緑色、青色の光に分離できればよいのであり、上述の構成に限定されるものではなく、従来公知のさまざまな構成が採用可能である。
【００１３】
（画像形成部１５）
画像形成部１５は、光分離部１４から導かれた第１、第２、第３の波長領域を有する第１、第２、第３の光を画像情報に基づいて変調したのち合成するものである。
本実施の形態では、画像形成部１５は、第１、第２、第３の入射側偏光板１６Ｒ、１６Ｇ、１６Ｂと、第１、第２、第３の光変調器１８Ｒ、１８Ｇ、１８Ｂと、光合成プリズム２０と、第１、第２、第３の出射側偏光板２２Ｒ、２２Ｇ、２２Ｂとを含んで構成されている。
【００１４】
（第１、第２、第３の入射側偏光板１６Ｒ、１６Ｇ、１６Ｂ）
図１に示すように、第１、第２、第３の入射側偏光板１６Ｒ、１６Ｇ、１６Ｂは、光分離部１４から出射される光Ｒ、光Ｇ、光Ｂの偏光成分をＳ波に揃えるものである。
なお、ＰＳ変換素子３２により光Ｒ、光Ｇ、光Ｂの偏光成分はＳ波に揃えられているが、光分離部１４を構成するミラーやレンズを通過することで光Ｒ、光Ｇ、光Ｂの偏光成分には乱れが生じＳ波でないものを含んでいる。
したがって、第１、第２、第３の入射側偏光板１６Ｒ、１６Ｇ、１６Ｂを用いることで光Ｒ、光Ｇ、光Ｂの偏光成分の乱れを除去しＳ波に揃えている。
【００１５】
（第１、第２、第３の光変調器１８Ｒ、１８Ｇ、１８Ｂ）
図１に示すように、第１、第２、第３の光変調器１８Ｒ、１８Ｇ、１８Ｂは、光分離部１４から導かれる光Ｒ、光Ｇ、光Ｂ毎に設けられている。
第１、第２、第３の光変調器１８Ｒ、１８Ｇ、１８Ｂは、第１、第２、第３の入射側偏光板１６Ｒ、１６Ｇ、１６Ｂを介して導かれる光の偏光状態を画像情報に応じて調整して透過させ、これにより、画像情報に応じて光を変調するものである。
詳細に説明すると、第１、第２、第３の光変調器１８Ｒ、１８Ｇ、１８Ｂは、赤色、緑色、青色の３色の画像情報をそれぞれ表示するものである。
第１、第２、第３の光変調器１８Ｒ、１８Ｇ、１８Ｂは、入射光に対応した色の映像信号が印加され、映像信号に従い、入射光の偏光方向を調整して透過させるものである。
言い換えると、第１、第２、第３の光変調器１８Ｒ、１８Ｇ、１８Ｂは、入射光をＳ偏光からＰ偏光に変換して変調出力するものである。
なお、第１、第２、第３の光変調器１８Ｒ、１８Ｇ、１８Ｂは入力される映像信号が白である場合（最も明るい場合）、入射光の偏光方向をＳ偏光からＰ偏光に変換して透過させる。
本実施の形態では、第１、第２、第３の光変調器１８Ｒ、１８Ｇ、１８Ｂは、透過型液晶パネルで構成されている。
【００１６】
（第１、第２、第３の出射側偏光板２２Ｒ、２２Ｇ、２２Ｂ）
図１に示すように、第１、第２、第３の出射側偏光板２２Ｒ、２２Ｇ、２２Ｂは、第１、第２、第３の光変調器１８Ｒ、１８Ｇ、１８Ｂから出射される光Ｒ、光Ｇ、光Ｂの偏光成分のうちＰ波を透過させ、それ以外の透過を阻止すべき偏光成分を吸収するものである。
その後、光Ｒ、光Ｂは、出射側偏光板２２Ｒ，２２Ｂに設けた不図示のフィルムでＳ波に偏光される。
なお、第１、第２、第３の出射側偏光板２２Ｒ、２２Ｇ、２２Ｂのそれぞれは、１枚の偏光板で構成されていても、あるいは２枚以上の偏光板で構成されていてもよい。
【００１７】
（光合成プリズム２０）
図１に示すように、光合成プリズム２０は、第１、第２、第３の入射面２００２、２００４、２００６と、第１、第２のダイクロイックミラー膜２０１０、２０１２と、出射面２００８とを有している。
第１、第３の入射面２００２、２００６は平行し、第２の入射面２００４と出射面２００８とは第１、第３の入射面２００２、２００６と直交しかつ互いに平行している。
第１、第２のダイクロイックミラー膜２０１０、２０１２は、互いに直交し、かつ、第１、第２、第３の入射面２００２、２００４、２００６、出射面２００８と４５度をなして交差している。
第１の入射面２００２は、第１の光変調器１８Ｒから透過された光Ｒが入射される。
第２の入射面２００４は、第２の光変調器１８Ｇから透過された光Ｇが入射される。
第３の入射面２００６は、第３の光変調器１８Ｂから透過された光Ｂが入射される。
第１、第２のダイクロイックミラー膜２０１０、２０１２は、光Ｒ、光Ｇ、光Ｂをそれらの光の波長領域毎に反射または透過することにより合成するものである。
具体的には、第１のダイクロイックミラー膜２０１０は、Ｐ波は波長にかかわらず透過し、Ｓ波のうち青色の波長領域の光のみ反射し、Ｓ波のうち青色の波長領域を除く光は透過する。
第２のダイクロイックミラー膜２０１２は、Ｐ波は波長にかかわらず透過し、Ｓ波のうち赤色の波長領域の光のみ反射し、Ｓ波のうち赤色の波長領域を除く光は透過する。
出射面２００８は、第１、第２のダイクロイックミラー膜２０１０、２０１２によって合成された光を出射する。
【００１８】
（投射光学系２４）
図１に示すように、投射光学系２４は、画像形成部１５の光合成プリズム２０の出射面２００８から導かれた光をスクリーンＳに照射することにより、スクリーンＳに画像を形成するものである。
【００１９】
次に動作について説明する。
光源部１２から出射された光は、光分離部１４によって光Ｒ、光Ｇ、光Ｂに分離される。
光Ｒは、第１の入射側偏光板１６Ｒを介して第１の光変調器１８Ｒに導かれ変調されたのち、第１の出射側偏光板２２Ｒを介して光合成プリズム２０に至る。
光Ｒは、光合成プリズム２０の第１の入射面１８０２から第１、第２ダイクロイックミラー膜２０１０、２０１２に導かれる。
したがって、光Ｒは、第２のダイクロイックミラー膜１８１２により反射され、また、第１のダイクロイックミラー膜１８１０を透過することで出射面１８０８から投射光学系２４に導かれる。
【００２０】
光Ｇは、第２の入射側偏光板１６Ｇを介して第２の光変調器１８Ｇに導かれ変調されたのち、第２の出射側偏光板２２Ｇを介して光合成プリズム２０に至る。
光Ｇは、光合成プリズム２０の第２の入射面１８０４から第１、第２ダイクロイックミラー膜２０１０、２０１２に導かれる。
したがって、光Ｇは、第１、第２ダイクロイックミラー膜２０１０、２０１２の双方を透過することで出射面２００８から投射光学系２４に導かれる。
【００２１】
光Ｂは、第３の入射側偏光板１６Ｂを介して第３の光変調器１８Ｂに導かれ変調されたのち、第３の出射側偏光板２２Ｂを介して光合成プリズム２０に至る。
光Ｂは、光合成プリズム２０の第３の入射面２００６から第１、第２ダイクロイックミラー膜２０１０、２０１２に導かれる。
したがって、光Ｂは、第１のダイクロイックミラー膜２０１０により反射され、また、第２のダイクロイックミラー膜２０１２を透過することで出射面２００８から投射光学系２４に導かれる。
【００２２】
次に本発明の要旨について説明する。
前述したように、本実施の形態では、第１、第２のダイクロイックミラー３６、３８、第１、第２、第３の反射ミラー４０、４２、４４に本発明が適用されている。
本実施の形態では、本発明の光学ユニットは、図１、図２に示すように、フレーム５０と、光分離部１４と、画像形成部１５とを含んで構成されている。
【００２３】
図２乃至図４に示すように、フレーム５０は、底壁５２と、この底壁５２の周囲から立設された側壁５４とを有している。
フレーム５０は、各種光学部材、光学部品が高い精度で組み付けできるように硬質な材料で形成され、また、衝撃を受けた際に塑性変形しないように弾性変形可能に形成されている。
本実施の形態では、フレーム５０は合成樹脂製であり、底壁５２と側壁５４とは一体成形されている。
フレーム５０は、プロジェクタ装置１０の外装を構成する図示しないケースに対してねじなどを用いて取着されている。
底壁５２に画像形成部用取り付け部５６が設けられ、画像形成部用取り付け部５６に画像形成部１５が取り付けられている。
また、画像形成部１５の出射面２００８（図１）に対向するように画像形成部用取り付け部５６には投射光学系２４が取り付けられている。
【００２４】
また、底壁５２上に光分離部１４が設けられている。
光分離部１４は、上述のように、第１、第２のダイクロイックミラー３６、３８、第１、第２、第３の反射ミラー４０、４２、４４、リレーレンズ４６Ａ、４６Ｂ、コンデンサレンズ４８Ｒ、４８Ｇ、４８Ｂなどの光学部材を含んでいる。それら光学部材は、高さ、幅を有する矩形の板状を呈している。
それら光学部材のうち、第１ダイクロイックミラー３６と第２のダイクロイックミラー３８は、側壁５４の延在方向において隣り合っている。
また、第２のダイクロイックミラー３８とリレーレンズ４６Ａも、側壁５４の延在方向において隣り合っている。
第１、第２のダイクロイックミラー３６、３８は、底壁５２に高さ方向を直交させるとともに幅方向を側壁５４に交差させ、かつ、幅方向の一方の端部を側壁５４に取り付けて配置されている。また、第１、第２のダイクロイックミラー３６、３８の幅方向の他方の端部は底壁５２から起立された取り付け壁５８に取り付けて配置されている。
第１、第２のダイクロイックミラー３６、３８の幅方向の両端の側壁５４、取り付け壁５８への取り付けは紫外線硬化型の接着剤を用いて行われている。
リレーレンズ４６Ａは、底壁５２に高さ方向を直交させるとともに幅方向を側壁５４に直交させ、かつ、幅方向の一方の端部を側壁５４に取り付けて配置されている。また、リレーレンズ４６Ａの幅方向の他方の端部は底壁５２から起立された取り付け壁５８に取り付けて配置されている。
リレーレンズ４６Ａの幅方向の両端の側壁５４、取り付け壁５８への取り付けは紫外線硬化型の接着剤を用いて行われている。
【００２５】
図３、図４に示すように、本実施の形態では、光学部材が側壁５４に沿って延在していない箇所でかつ光学部材が取り付けられていない側壁５４の箇所は、第１ダイクロイックミラー３６と第２のダイクロイックミラー３８の間に位置する側壁箇所６０である。
また、光学部材が側壁５４に沿って延在していない箇所で、かつ、光学部材が取り付けられていない側壁５４の箇所は、第２のダイクロイックミラー３８とリレーレンズ４６Ａの間に位置する側壁箇所６２である。
【００２６】
側壁箇所６０に、２つの溝６４が設けられている。
また、側壁箇所６２に、１つの溝６４が設けられている。
それら溝６４は、底壁５２と反対に位置する側壁５４の上端から底壁５２に向かって延在し上端に開放状に形成されている。
それら溝６４は、側壁箇所６０、６２の剛性を低下させ、フレーム５０に外力が作用した場合に、該側壁箇所６０、６２を弾性変形しやすくするものである。
溝６４は、側壁５４の高さの１／２以上の寸法の深さで延在形成され、本実施の形態では、側壁５４の高さの２／３未満の寸法の深さで延在形成されている。
すなわち、側壁箇所６０、６２を弾性変形しやすくするには、溝６４の深さは側壁５４の高さの１／２以上の寸法が必要である。
したがって、溝６４は側壁５４の高さ方向の全長にわたって設けてもよい。
しかしながら、フレーム５０の必要最小限の剛性を確保する観点からすると、溝６４の深さを側壁５４の高さの２／３未満の寸法とし、側壁５４の高さの少なくとも１／３の部分を残存させておくことが好ましい。
【００２７】
本実施の形態によれば、フレーム５０の側壁５４に溝６４を設けた。より詳細には、光学部材が側壁５４に沿って延在していない箇所で、かつ、光学部材が取り付けられていない側壁５４の箇所に、底壁５２と反対に位置する側壁５４の上端から底壁５２に向かって延在し上端に開放状の溝６４を設けた。
したがって、プロジェクタ装置１０のケースに衝撃が加わりケースが瞬間的に弾性変形し、その変形による力がフレーム５０に作用した場合に、溝６４が形成された側壁箇所６０、６２が弾性変形する。
そして、側壁箇所６０、６２の弾性変形により、フレーム５０に固定された光学部材にストレスが加わることを防止でき、光学部材の劣化や破損を防止する上で有利となる。
また、接着剤を用いて光学部材をフレームに固定した場合、接着剤にストレスが加わることで光学部材がフレームから剥がれることを防止する上で有利となる。
そして、接着剤を用いて光学部材をフレーム５０に固定して配置できるので、従来のように、板ばねを用いて光学部材を取り付ける構造に比較して、部品点数を削減できる。
したがって、光学部材ごとに設けられた板ばねが占有するスペースを縮小できることから小型化を図る上で有利となる。また、板ばねを使用しないので軽量化を図る上で有利となる。また、板ばねを使用しないので、部品コストを削減する上で有利となることは無論のこと、煩雑な板ばねの取り付け作業に要する工数を削減する上でも有利となり、低コスト化を図る上で有利となる。
すなわち、光学ユニットおよびプロジェクタ装置１０の小型化、軽量化、低コスト化を図りつつ、耐久性の向上を図る上で有利となる。
【００２８】
なお、図２に示すように、第２の反射ミラー４２と第３の反射ミラー４４の間の側壁箇所６６に光学部材が何も取り付けられていない場合には、該側壁箇所６６に溝６４を設けてもよい。
すなわち、隣り合う２つの光学部材が側壁５４の延在方向に間隔をおき、幅方向を側壁５４の延在方向に沿わせ、かつ、幅方向の両端を側壁５４に取り付けて配置されている場合にそれら光学部材の間の側壁５４箇所に溝６４を設けてもよい。
また、図２に示すように、リレーレンズ４６Ａが無い場合に第２のダイクロイックミラー３８と第２の反射ミラー４２が側壁５４の延在方向において隣り合う光学部材となり、それらの間の側壁箇所６８に溝６４を設けてもよい。
すなわち、隣り合う２つの光学部材の一方が、幅方向を側壁５４に交差させてその端部が側壁５４に取り付けられ、他方が幅方向を側壁５４の延在方向に沿わせ幅方向の両端を側壁５４に取り付けられている場合、次のように溝６４を設けてもよい。すなわち、それら光学部材の間の側壁箇所６８に溝６４を設けてもよい。
【符号の説明】
【００２９】
１０……プロジェクタ装置、１２……光源部、１４……光分離部、１５画像形成部、３６……第１のダイクロイックミラー（光学部材）、５０……フレーム、５２……底壁、５４……側壁、６４……溝。
【図１】
2010211135.tif 000003
【図２】
2010211135.tif 000004
【図３】
2010211135.tif 000005
【図４】
2010211135.tif 000006